(57)【要約】【課題】たとえバーナ装置が、清掃困難な場所に設置されていても、塵埃などによる目詰まりの清掃処理を容易かつ確実に行い得るバーナ装置の提供。【解決手段】炎孔を備えた燃焼部と、空気供給管を通して燃焼部に燃焼用空気を供給する空気供給ファンと、燃焼用空気に燃料ガスを供給する燃料供給部と、空気供給ファン及び燃料供給部の作動を制御する燃焼制御部とが設けられ、燃焼制御部が、燃料供給部から燃料ガスを供給する状態で、空気供給ファンを燃焼用回転速度で正方向に回転駆動する燃焼用処理を実行するバーナ装置であって、燃焼制御部が、燃料供給部からの燃料ガスの供給を停止した状態で、空気供給ファンを燃焼用回転速度よりも高速の清掃用回転速度で正方向に回転駆動する清掃用正転駆動制御を行う清掃用処理を実行する。【選択図】図２
2016180550.tif 000002
【特許請求の範囲】
【請求項１】
炎孔を備えた燃焼部と、空気供給管を通して前記燃焼部に燃焼用空気を供給する空気供給ファンと、前記燃焼用空気に燃料ガスを供給する燃料供給部と、前記空気供給ファン及び前記燃料供給部の作動を制御する燃焼制御部とが設けられ、
前記燃焼制御部が、前記燃料供給部から燃料ガスを供給する状態で、前記空気供給ファンを燃焼用回転速度で正方向に回転駆動する燃焼用処理を実行するように構成されたバーナ装置であって、
前記燃焼制御部が、前記燃料供給部からの燃料ガスの供給を停止した状態で、前記空気供給ファンを前記燃焼用回転速度よりも高速の清掃用回転速度で正方向に回転駆動する清掃用正転駆動制御を行う清掃用処理を実行するように構成されているバーナ装置。
【請求項２】
前記燃焼制御部が、前記清掃用処理において、前記清掃用正転駆動制御の前または後に、前記空気供給ファンを逆方向へ回転駆動させる逆転駆動制御を行うように構成されている請求項１に記載のバーナ装置。
【請求項３】
前記燃焼制御部が、前記清掃用処理において、前記清掃用正転駆動制御を行った後に、前記逆転駆動制御を行い、その後、前記清掃用正転駆動制御を再び行うように構成されている請求項２に記載のバーナ装置。
【請求項４】
前記燃焼制御部が、前記燃焼用処理の実行後に、前記清掃用処理を実行するように構成されている請求項１〜３のいずれか１項に記載のバーナ装置。
【発明の詳細な説明】
【技術分野】
【０００１】
本発明は、炎孔を備えた燃焼部と、空気供給管を通して前記燃焼部に燃焼用空気を供給する空気供給ファンと、前記燃焼用空気に燃料ガスを供給する燃料供給部と、前記空気供給ファン及び前記燃料供給部の作動を制御する燃焼制御部とが設けられ、前記燃焼制御部が、前記燃料供給部から燃料ガスを供給する状態で、前記空気供給ファンを燃焼用回転速度で正方向に回転駆動する燃焼用処理を実行するように構成されたバーナ装置に関する。
【背景技術】
【０００２】
このようなバーナ装置は、従来からよく知られているが、例えば、燃焼部の炎孔に塵埃が付着し、経年に伴って徐々に蓄積して目詰まりを生じ、異常燃焼を引き起こすおそれがある。そこで、目詰まりの発生を検知し、必要に応じてバーナ装置の作動を停止するように構成した技術が種々提案されている。
例えば、燃焼用空気を燃焼部にまで供給する空気供給管に、管内の風圧を検出する手段を設け、目詰まりに起因して管内の風圧が設定値を超えて低下すると、バーナの燃焼を停止するように構成したものが提案されている（例えば、特許文献１参照）。
【先行技術文献】
【特許文献】
【０００３】
【特許文献１】特開平１０−１３２２６３号公報
【発明の概要】
【発明が解決しようとする課題】
【０００４】
しかしながら、上記特許文献に記載の技術を含めて、従来の公知技術は、目詰まりの発生を検知し、必要に応じてバーナの燃焼を停止するまでの技術に過ぎなかった。
すなわち、その後の目詰まりの清掃処理に関しては、具体的な方策は提案されておらず、従来の人為的な清掃方法に委ねられており、例えば、バーナ装置の一部を分解して清掃していたのが実情である。
したがって、バーナ装置が他の機器類の内部に配置されている場合や、他の機器類が邪魔になる場所などに配置されている場合には、目詰まりの清掃作業がきわめて困難で、この点に改良の余地があった。
【０００５】
本発明は、このような従来の問題点に着目したもので、その目的は、たとえバーナ装置が、清掃困難な場所に設置されていても、塵埃などによる目詰まりの清掃処理を容易かつ確実に行い得るバーナ装置を提供することにある。
【課題を解決するための手段】
【０００６】
上記目的を達成するための本発明によるバーナ装置は、炎孔を備えた燃焼部と、空気供給管を通して前記燃焼部に燃焼用空気を供給する空気供給ファンと、前記燃焼用空気に燃料ガスを供給する燃料供給部と、前記空気供給ファン及び前記燃料供給部の作動を制御する燃焼制御部とが設けられ、前記燃焼制御部が、前記燃料供給部から燃料ガスを供給する状態で、前記空気供給ファンを燃焼用回転速度で正方向に回転駆動する燃焼用処理を実行するように構成されたバーナ装置であって、
その特徴構成は、前記燃焼制御部が、前記燃料供給部からの燃料ガスの供給を停止した状態で、前記空気供給ファンを前記燃焼用回転速度よりも高速の清掃用回転速度で正方向に回転駆動する清掃用正転駆動制御を行う清掃用処理を実行するように構成されている点にある。
【０００７】
上記特徴構成によれば、空気供給ファン及び燃料供給部の作動を制御する燃焼制御部が、燃料供給部からの燃料ガスの供給を停止した状態で、空気供給ファンを燃焼用回転速度よりも高速の清掃用回転速度で正方向に回転駆動する清掃用正転駆動制御を行う清掃用処理を実行するので、空気供給ファン及び燃料供給部の作動制御のために必要な燃焼制御部をそのまま利用して、清掃用正転駆動制御による清掃用処理を実行することができ、たとえバーナ装置が清掃困難な場所に設置されていても、バーナ装置を分解する必要はなく、塵埃などによる目詰まりの清掃処理を容易に行うことができる。
そして、その清掃用正転駆動制御は、空気供給ファンを燃焼用回転速度よりも高速の清掃用回転速度で正方向に回転駆動して行うので、燃焼用処理実行時における燃焼用空気よりも高圧で多量の空気によって、目詰まりの原因となる塵埃などを吹き飛ばして確実に清掃除去することが可能となる。
【０００８】
本発明によるバーナ装置の更なる特徴構成は、前記燃焼制御部が、前記清掃用処理において、前記清掃用正転駆動制御の前または後に、前記空気供給ファンを逆方向へ回転駆動させる逆転駆動制御を行うように構成されている点にある。
【０００９】
上記特徴構成によれば、清掃用処理において、清掃用正転駆動制御の前または後に、空気供給ファンを逆方向へ回転駆動させる逆転駆動制御を行うので、逆転駆動制御の実行時には、清掃用の空気が上述した清掃用正転駆動制御時とは逆の方向に流動することになり、清掃用正転駆動制御による清掃用処理では除去し難い塵埃をも確実に除去することが可能となる。
【００１０】
本発明によるバーナ装置の更なる特徴構成は、前記燃焼制御部が、前記清掃用処理において、前記清掃用正転駆動制御を行った後に、前記逆転駆動制御を行い、その後、前記清掃用正転駆動制御を再び行うように構成されている点にある。
【００１１】
上記特徴構成によれば、最初に、清掃用正転駆動制御を行って、高圧で多量の空気により目詰まりの原因である塵埃などを確実に吹き飛ばし、その後、逆流する空気により清掃用正転駆動制御では除去し難い塵埃をも除去することができる。
そして、再び清掃用正転駆動制御を行って、高圧で多量の空気により清掃するので、逆流によって空気供給ファン内に吸い込んでしまった塵埃などを吹き飛ばすことができるとともに、逆流によって除去されないまでも、除去し易くなった塵埃などを確実に吹き飛ばすことができ、目詰まりの原因となる塵埃をより確実に除去することが可能となる。
【００１２】
本発明によるバーナ装置の更なる特徴構成は、前記燃焼制御部が、前記燃焼用処理の実行後に、前記清掃用処理を実行するように構成されている点にある。
【００１３】
上記特徴構成によれば、燃焼用処理の実行後に清掃用処理を実行するので、当該燃焼用処理時に付着した塵埃などを清掃用処理により除去することができ、燃焼部の炎孔や空気供給管内、更には、空気供給ファンの内部などを常にクリーンに維持して、良好な燃焼を確保することができる。
【図面の簡単な説明】
【００１４】
【図１】バーナ装置を示す概略構成図
【図２】バーナ装置の制御を示すフローチャート
【発明を実施するための形態】
【００１５】
本発明によるバーナ装置の実施形態を図面に基づいて説明する。
本発明に係るバーナ装置は、図１に示すように、バーナ本体１、空気供給ファン３、及び、空気供給管４などを備え、バーナ本体１の先端部が、火炎生成用の多数の炎孔２ａを備えた燃焼部２に構成され、空気供給ファン３の吐出口とバーナ本体１の基端部とが、空気供給管４を介して連通接続されている。
空気供給ファン３は、正方向及び逆方向へ回転駆動可能で、正方向へ最大出力未満の回転速度の範囲内に設定された燃焼用回転速度で回転駆動することにより、空気供給ファン３の吸引口から燃焼用空気を吸引し、空気供給管４を通して燃焼用空気をバーナ本体１に供給して燃焼部２の炎孔２ａから噴出するように構成されている。
【００１６】
前記空気供給管４には、空気供給管４内を通流する燃焼用空気に都市ガスなどの燃料ガスを噴出供給するガスノズル５が設けられ、そのガスノズル５には、燃料ガスを供給するガス供給管６が接続されている。
当該ガス供給管６には、ガスノズル５から噴出供給する燃料ガスの量を調整する電磁式のガス調整弁７が設けられ、更に、ガス調整弁７より上流側には、燃料ガスの供給を遮断する電磁式の遮断弁８が設けられている。
そして、これらガスノズル５、ガス供給管６、ガス調整弁７、及び、遮断弁８などによって、空気供給管４内を通流する燃焼用空気に燃料ガスを供給する燃料供給部９が構成されている。
【００１７】
すなわち、空気供給管４内を通流する燃焼用空気に対して、燃料供給部９を構成するガスノズル５から燃料ガスを噴出供給して予混合し、その燃料ガスと燃焼用空気との混合気が、バーナ本体１の燃焼部２の炎孔２ａから噴出されて火炎を生成するように構成されている。
そして、上述した燃料供給部９、つまり、ガス調整弁７と遮断弁８の作動、及び、空気供給ファン３の作動が、燃焼制御部としての制御装置１０により自動的に制御されるように構成されている。
【００１８】
つぎに、制御装置１０によるバーナ装置の制御について説明する。
制御装置１０は、図外から燃焼開始の指令があると、図２のフローチャートに示すように、燃料ガスと燃焼用空気との混合気をバーナ本体１の燃焼部２で燃焼させる燃焼用処理を実行する（ステップ＃１）。
当該燃焼用処理の実行は、空気供給ファン３を最大出力未満の燃焼用回転速度で正方向に回転駆動して、吸引口から吸引した燃焼用空気を空気供給管４を通してバーナ本体１に供給するとともに、遮断弁８を開弁してガス調整弁７の開度を調整し、ガスノズル５からの燃料ガスを空気供給管４内を通流する燃焼用空気に供給し、その燃料ガスと燃焼用空気との混合気をバーナ本体１の燃焼部２で燃焼させることで実行される。
【００１９】
当該燃焼用処理の実行は、燃焼停止指令があるまで継続され、その間、燃焼用処理の実行時間が積算され（ステップ＃２）、燃焼停止指令があると（ステップ＃３）、遮断弁８とガス調整弁７を閉弁して燃料ガスの供給を停止するとともに、空気供給ファン３の回転駆動を停止して燃焼用空気の供給を停止する燃焼停止処理を実行する（ステップ＃４）。
燃焼停止処理の実行後、燃焼用処理実行の積算時間が、予め設定された設定時間、つまり、清掃を必要とする時間にまで達しているか否かを判別する（ステップ＃５）。設定時間に達していなければ、清掃は不必要であると判断して制御を終了し、設定時間に達していれば、清掃が必要であると判断して清掃用処理を実行する。
【００２０】
当該清掃用処理の実行は、遮断弁８とガス調整弁７を閉弁し、ガスノズル５からの燃料ガスの供給を停止した状態で、まず最初に、予め設定された実行時間の間、空気供給ファン３を最大出力での清掃用回転速度で、つまり、上述した燃焼用回転速度よりも高速の清掃用回転速度で正方向に回転駆動し、空気供給ファン３から吐出される高圧で多量の空気により空気供給管４やバーナ本体１を清掃する清掃用正転駆動制御を行うことで実行される（ステップ＃６）。
つぎに、この清掃用正転駆動制御の実行後、燃料ガスの供給を停止したままで、予め設定された実行時間の間、空気供給ファン３を最大出力または最大出力未満で逆方向に回転駆動し、空気供給管４内を逆流する空気によって空気供給管４やバーナ本体１、更には、空気供給ファン３の内部を清掃する逆転駆動制御を実行する（ステップ＃７）。つまり、燃焼部２の炎孔２ａから空気を吸引し、空気供給管４内を逆流させて空気供給ファン３の吸引口から吐出して逆転駆動制御を実行し、最後に、上述した清掃用正転駆動制御を再び行って（ステップ＃８）、清掃用処理の実行を終了し、燃焼用処理の積算時間を初期化した後（ステップ＃９）、制御を終了する。
【００２１】
〔別実施形態〕
（１）先の実施形態では、清掃用処理において、最初に、清掃用正転駆動制御を実行し、つぎに、逆転駆動制御を実行した後、再度、清掃用正転駆動制御を実行する例を示したが、最後の清掃用正転駆動制御を行うことなく実施することもできる。
すなわち、最初に、清掃用正転駆動制御を実行し、その後、逆転駆動制御を実行して清掃用処理を終了することもでき、その場合、最初に、逆転駆動制御を実行し、その後、清掃用正転駆動制御を実行することも可能である。
そして、これら清掃用正転駆動制御と逆転駆動制御の実行時間に関しては、バーナ装置の使用状況などに応じて適宜設定することになる。
また、清掃用正転駆動制御において、空気供給ファン３の清掃用回転速度を最大出力時における回転速度に設定した例を示したが、当該清掃用回転速度は、燃焼用処理の実行時における燃焼用回転速度よりも高速（好ましくは、２倍程度高速）であればよく、必ずしも最大出力時における回転速度に設定する必要はない。
【００２２】
（２）先の実施形態では、燃焼用処理の積算時間が設定時間を超えた場合に、清掃用処理を実行する例を示したが、例えば、空気供給管４に風量センサを設けておき、その風量センサによる測定風量が予め設定した風量よりも低下した場合、清掃が必要であると判断して清掃用処理を実行するように構成することもできる。
また、燃焼用処理の実行を終了する度に、自動的に清掃用処理を実行するように構成することもでき、更に、人為的な操作指示によって、清掃用処理を実行するように構成することもできる。
なお、本発明は、先の実施形態で示した予混合式のバーナ装置に限らず、種々の型式のバーナ装置に適用することができる。
【符号の説明】
【００２３】
２        燃焼部
２ａ      炎孔
３        空気供給ファン
４        空気供給管
９        燃料供給部
１０      燃焼制御部
【図１】
2016180550.tif 000003
【図２】
2016180550.tif 000004